(57)【要約】【課題】本発明の課題は、かつらのズレ易さや外れ易さを解消し、頭部に安定した装着感と密着感を高めることを可能としたかつらベース及びかつらを提供することである。【解決手段】ネット部１１に少なくとも一つの開口部１２を有し、ネット部１１及び開口部１２の開口周縁端部１２に毛髪係止部材１４が設けられている構成とした。【選択図】図１
2008184714.tif 000002
【特許請求の範囲】
【請求項１】
人毛又は人工毛を植毛するためのネット部に少なくとも一つの開口部を有し、前記ネット部における前記開口部の周縁領域の少なくとも一部に毛髪係止部材が設けられている、
ことを特徴とするかつらベース。
【請求項２】
前記毛髪係止部材が、前記開口部に突出して固着されている、
ことを特徴とする請求項１に記載のかつらベース。
【請求項３】
前記毛髪係止部材が、面ファスナーの片方からなる、
ことを特徴とする請求項１又は２に記載のかつらベース。
【請求項４】
前記毛髪係止部材が、複数個のＣリングからなる、
ことを特徴とする請求項１又は２に記載のかつらベース。
【請求項５】
前記Ｃリングが、前記開口部の開口周縁に沿って一定間隔で形成されている、
ことを特徴とする請求項４に記載のかつらベース。
【請求項６】
請求項１から請求項５のいずれか一つに記載されたかつらベースを備えることを特徴とするかつら。
【発明の詳細な説明】
【技術分野】
【０００１】
本発明は、自毛を導出するための開口部を設けたかつらベース及びかつらに関する。
【背景技術】
【０００２】
一般に、かつらは薄毛に悩む人が外見上実際の頭髪であるように見せるために着用するものである。そこで、ここでのかつらは、自毛とかつらに植毛された人毛又は人工毛とを自然に一体化される装着方法が要求される。
【０００３】
上記要求を満足する装着方法については、従来から、様々な方法が提案されている。その代表的な方法として、接着剤を用いてかつらを使用者の頭皮に直接貼り付ける方法、金属製の止着部材を用いてかつらを使用者の自毛に取り付ける方法及び人毛又は人工毛を植毛させたネット製かつらベースの網目から自毛を引き出して自毛と人毛又は人工毛とを混毛させてかつらを使用者の頭部に保持する方法等がある。
【０００４】
ここでは、ネット製かつらベースの網目から引き出された自毛とかつらベースに植毛させた人毛又は人工毛とを混毛させるかつらの装着方法に着目すると、従来のネット製かつらベースは使用者の自毛を外部に導出させにくいという問題があった。
【０００５】
そこで、特許文献１ではかつらベースに所定数の開口部を設け、この開口部から外部に導き出した使用者の自毛と、かつらベースに植毛された人毛又は人工毛とを混毛させ、自然に一体化させる装着方法が開示されている。尚、ここでの所定数とは使用者の頭部の毛髪状態に応じた数のことをいう。
【特許文献１】実開平５−４６９１１号公報
【発明の開示】
【発明が解決しようとする課題】
【０００６】
しかし、特許文献１に記載のかつらは、開口部から外部に導き出した使用者の自毛と、かつらベースに植毛させた人毛又は人工毛とを混毛させて自然に一体化させる点ではかつらに要求される事を満足しているが、かつら本体が装着時の位置からズレ易く、また、かつらが外れ易いという問題が生じていた。
【０００７】
そこで、本発明の課題はかつらのズレ易さや外れ易さを解消するために、頭部に安定した装着感と密着感を高めることを可能としたかつらベース及びかつらを提供することである。
【課題を解決するための手段】
【０００８】
人毛又は人工毛を植毛するためのネット部に少なくとも一つの開口部を有し、上記ネット部における上記開口部の周縁領域の少なくとも一部に毛髪係止部材が設けられている構成とした。
【０００９】
好ましくは、上記毛髪係止部材が、上記開口部に突出して固着されている構成とした。
【００１０】
好ましくは、上記毛髪係止部材が、面ファスナーの片方からなる構成とした。
【００１１】
好ましくは、上記毛髪係止部材が、複数個のＣリングからなる構成とした。
【００１２】
好ましくは、上記Ｃリングが、上記開口部の開口周縁に沿って一定間隔で形成されている構成とした。
【００１３】
上記解決手段のいずれか一つに記載されたかつらベースを備えることを特徴とするかつらである。
【発明の効果】
【００１４】
本発明のかつらベースによれば、自毛を導出するために設けた開口部に面ファスナーの片方もしくは複数個のＣリング等の毛髪係止部材を備えることにより、開口部から導出した自毛が毛髪係止部材に密着して、装着時の密着度が高まり、使用者が装着した際にズレにくく、外れにくいかつらとすることができる。
【００１５】
ここでの毛髪係止部材は面ファスナーの片方やＣリングに限定されるものではなく、開口部から導出された自毛を係止可能な機能を有する部材であれば使用可能である。
【発明を実施するための最良の形態】
【００１６】
以下、本発明の実施の形態に係るかつらベース及びかつらについて、図を用いて説明を行う。
【００１７】
（第一の実施の形態）
図１は第一の実施の形態のかつらベース１０の全体を示す平面図である。図１において、かつらベース１０は、主に人毛又は人工毛を植毛するためのネット部１１と、このネット部１１に形成された開口部１２（本実施の形態では４つ）とで構成されている。また、ネット部１１は、複数本の糸を交互させ、網状を成して形成されている。また、交互させた箇所は熱溶着等により固定させておくことが好ましい。
【００１８】
ネット部１１における開口部１２の周縁端部である開口周縁端部１３には、上述したようにネット部１１を形成する際に複数本の糸を交互させた箇所を熱溶着等により固定させておくことで、特別な処理を行わなくても良い。しかしながら、開口周縁端部１３を折り返すことで、この開口周縁端部１３はより強固になる。尚、強固になる別の方法としては、糸を用いてネット部の各端部を結合させるような構成でも良い。
【００１９】
また、ネット部１１における開口部１２の周縁領域の少なくとも一部には、毛髪係止部材１４が設けられている。第１の実施の形態において毛髪係止部材１４は面ファスナーの片方が用いられている。尚、ここでの周縁領域とは、開口部１２の周縁近傍を示している。
【００２０】
ここで面ファスナーとは、多数のループ状の係止部を一面に配置した第１のテープと、ループ状の係止部に係止可能な多数のフック状の係止部を一面に配置した第２のテープとで構成されているものである。そこで本実施の形態において用いられる面ファスナーの片方とは、多数のフック状の係止部を一面に配置した第２のテープのことである。
【００２１】
また、毛髪係止部材１４の固着方法は、ネット部１１の裏側（頭皮に接する側）のネット部１１における開口部１２の周縁領域に縫着、接着及び熱溶着等による固着方法を用いると良い。
【００２２】
尚、図１は人毛又は人工毛を植毛させていない状態を示している。よって、かつらとして使用する場合は、このかつらベース１０に多数本の人毛又は人工毛が植毛されている。
【００２３】
次に、図２はネット部１１に形成されている開口部１２の一つを拡大した図である。上述したようにネット部１１における開口部１２の周縁領域の少なくとも一部には、毛髪係止部材１４が設けられている。この毛髪係止部材１４は、開口部１２へ突出するようにして、ネット部１１の裏側（頭皮に接する側）に固着されている。また、毛髪係止部材１４はフック状の係止部の配された面が上（頭皮と接しない側）に向くように固着される。
【００２４】
つまり、毛髪係止部材１４は、ネット部１１の裏側の開口周縁端部１３近傍に取り付け固定手段により固着されている。尚、図２において開口部１２及び毛髪係止部材１４は、楕円形状で形成されているが、この形状に限定されず、例えば、円形又は矩形等で形成してもよい。また、開口部１２の大きさは使用者の毛髪の状態に応じて形成すると良い。
【００２５】
このようにして、毛髪係止部材１４である面ファスナーに多数存在するフック部に開口部１２から導出した自毛を絡みつかせて密着させる。これにより、人毛又は人工毛と、開口部１２から導出した自毛とを混毛して一体化させることができ、装着時の密着度が高まり、ズレにくく、外れにくいかつらとすることができる。
【００２６】
（変形例）
次に、図３は図１におけるかつらベース１０の変形例の全体を示した平面図である。このかつらベース１０´は、図１におけるかつらベース１０と同様の構成であるため説明は省略する。
【００２７】
ここで変形例として示すかつらベース１０´は、一つの開口部１２に対して二つの毛髪係止部材１４を設けて形成している。このかつらベース１０´は、自毛を導出するための開口部１２をふさがない程度に、毛髪係止部材１４である面ファスナーを開口部１２方向へ突出させている。尚、図３において一つの開口部１２に対して二つの毛髪係止部材１４を設けて形成している箇所は１箇所であるが、この１箇所に限定されず他の開口部１２に対しても同様に形成しても良い。ここでは、他の開口部に形成させた図は省略する。
【００２８】
このように一つの開口部１２に対して二つの毛髪係止部材１４を設けることで、例えば、使用者がかつら１０を装着した際に毛髪係止部材１４ａを前頭部側とし、開口部１２から導出させた自毛を毛髪係止部材１４ａに密着させて前側に垂らすことができる。
【００２９】
また、更には毛髪係止部材１４ｂを後頭部側とし、開口部１２から導出させた自毛を毛髪係止部材１４ｂに密着させて後側に流すことができる。
【００３０】
尚、ここでも毛髪係止部材１４は楕円形状で形成しているが、この形状に限定されず、例えば、円形状等で形成してもよい。また、ここでは毛髪係止部材１４の設置数を２箇所としたが、これも限定することなく、例えば、開口部１２のＲ部、Ｌ部にも備え、開口部１２を周回するように形成させても良い。つまり、使用者の要求に応じて毛髪係止部材１４を形成することが可能である。
【００３１】
（第二の実施の形態）
図４は、第二の実施の形態のかつらベース２０の全体を示す平面図である。図４において、かつらベース２０も主たる構成はかつらベース１０と同様であるため説明は省略する。
【００３２】
ここで説明する第２の実施の形態は、ネット部２１における開口部２２の周縁領域の少なくとも一部には、毛髪係止部材２４が設けられている。この毛髪係止部材２４は、一定間隔で連続してＣリングが開口部２２に突出するようにして設けられている。
【００３３】
ここで使用するＣリングとは、樹脂系であるプラスチック、ポリエステル、デルリン及びアクリル等の弾性体で形成されたリング形状に、切り欠き部を設けてなる部材である。大きさについては、特に限定されないが、切り欠き部の幅よりもＣリング内の半径の方が長い形状とする。
【００３４】
また、毛髪係止部材２４の固着方法も、ネット部２１の裏側の開口周縁端部２３の近傍に縫着、接着及び熱溶着等による固着方法を用いると良い。
【００３５】
尚、図４は人毛又は人工毛を植毛させていない状態を示している。よって、かつらとして使用する場合は、このかつらベース２０に多数本の人毛又は人工毛が植毛される。
【００３６】
次に、図５はネット部２１に形成されている開口部２２の一つを拡大した図である。ネット部２１には、一定間隔で連続してＣリングが開口部２２へ突出するようにして設けられている。Ｃリングは、ネット部２１における開口部２２の周縁領域の少なくとも一部に取り付け固定手段により固着されている。
【００３７】
上述したようなＣリングを用いたかつらベースを用いて作成されたかつらを装着する際には、開口部２２から導出した自毛をＣリングの切り欠き部から挿入させる。このとき、自毛をＣリング内に密に充填させて装着することで人毛又は人工毛と、開口部２２から導出した自毛とを混毛して一体化することにより、装着時に密着度が高まり、ズレにくく、外れにくいかつらとすることができる。
【００３８】
（変形例）
次に、図６は図４におけるかつらベース２０の変形例を示した図である。このかつらベース２０´は、図４におけるかつらベース２０と同様の構成であるため説明は省略する。
【００３９】
ここで変形例として示すかつらベース２０´は、一つの開口部２２に対して二つの毛髪係止部材２４を設けて形成している。このかつらベース２０´は、自毛を導出するための開口部２２をふさがない程度に、毛髪係止部材２４であるＣリングを開口部２２方向へ突出させている。尚、図６においても一つの開口部１２に対して二つの毛髪係止部材１４を設けて形成している箇所は１箇所であるが、これに限定されず複数の箇所に形成しても良い。ここでは、複数の箇所に形成させた図は省略する。
【００４０】
このように一つの開口部２２に対して二つの毛髪係止部材２４を設けることで、例えば、使用者がかつら２０を装着した時に毛髪係止部材２４ａを前頭部側とし、開口部２２から導出させた自毛を毛髪係止部材２４ａに密着させて前側に垂らすことができる。
【００４１】
一方、毛髪係止部材２４ｂを後頭部側とし、開口部２２から導出させた自毛を毛髪係止部材２４ｂに密着させて後側に流すことができる。
【００４２】
尚、ここでは毛髪係止部材２４の設置位置を長手側のみに設けたものであるが、これも限定することなく、例えば、開口部２２の短手（Ｒ部、Ｌ部）にも備え、開口部２２を周回するように形成させても良い。つまり、使用者の要求に応じて毛髪係止部材２４を形成することが可能である。
【００４３】
図７は、毛髪係止部材２４である複数個のＣリングを弾性部材２５に固着した図である。図７において、図４及び図６で説明したＣリングは、ネット部２１及び開口部２２の開口周縁端部２３に取り付け固定手段により固着するとしたが、図７に示すように、複数個のＣリング２４を一定間隔で、弾性部材２５に予め固着させておき、その弾性部材２５を開口周縁端部２３の形状に合わせてネット部２１に固着するようにしてもよい。尚、弾性部材２５の材質もＣリングと同様に樹脂系であるプラスチック、ポリエステル、デルリン及びアクリル等の弾性体を用いると良い。同様の材質を用いることでＣリングを固着させやすい。
【００４４】
次に、図８及び図９において、かつらベース１０、２０に人毛又は人工毛を植毛させたかつら３０及び４０を示した図である。このかつら３０、４０はネット部３１、４１、開口部３２、４２、開口周縁端部３３、４３、及び毛髪係止部材３４、４４を有する。
【００４５】
図８及び図９において、このかつら３０、４０は、ネット外周縁３５、４５に人毛又は人工毛３６、４６が植毛される。また、ここでは図示しないが、かつら３０、４０は、開口部３２、４２以外のネット部３１、４１及び開口周縁端部３３、４３にも人毛又は人工毛３６、４６が植毛される。開口部３２、４２からは、装着時の自毛を外部に導き出して、毛髪固着部材３４、４４に密着させ、各部に植毛された人毛又は人工毛と混毛させて一体化している。
【００４６】
本実施の形態のかつらベース１０、２０及びかつら３０、４０によれば、かつらベース１０、２０に設けられた開口部１２、２２に毛髪係止部材１４、２４であるファスナーの片方又はＣリングを設け、開口部１２、２２から引き出した頭部の自毛を毛髪係止部材１４、２４に密着させて、自毛と人毛又は人工毛を混毛させることで、装着時の密着度が高まり、ズレにくく、外れにくいかつらとすることが可能である。
【図面の簡単な説明】
【００４７】
【図１】第一の実施の形態のかつらベース１０の全体を示す平面図
【図２】ネット部１１に形成されている開口部１２の一つを拡大した図
【図３】図３は図１におけるかつらベース１０の変形例の全体を示した平面図
【図４】第二の実施の形態のかつらベース２０の全体を示す平面図
【図５】ネット部２１に形成されている開口部２２の一つを拡大した図
【図６】図４においるかつらベース２０の変形例を示した図
【図７】毛髪係止部材２４である複数個のＣリングを弾性部材２５に固着した図
【図８】かつらベースに人毛又は人工毛を植毛させたかつらを示した図
【図９】かつらベースに人毛又は人工毛を植毛させたかつらを示した図
【符号の説明】
【００４８】
１０      かつらベース
１１      ネット部
１２      開口部
１３      開口周縁端部
１４      毛髪係止部材
１４ａ    毛髪係止部材
１４ｂ    毛髪係止部材
２０      かつらベース
２１      ネット部
２２      開口部
２３      開口周縁端部
２４      毛髪係止部材
２４ａ    毛髪係止部材
２４ｂ    毛髪係止部材
２５      弾性部材
３０      かつら
３１      ネット部
３２      開口部
３３      開口周縁端部
３４      毛髪係止部材
３５      ネット外周縁
３６      人毛又は人工毛
４０      かつら
４１      ネット部
４２      開口部
４３      開口周縁端部
４４      毛髪係止部材
４５      ネット外周縁
４６      人毛又は人工毛
【図１】
2008184714.tif 000003
【図２】
2008184714.tif 000004
【図３】
2008184714.tif 000005
【図４】
2008184714.tif 000006
【図５】
2008184714.tif 000007
【図６】
2008184714.tif 000008
【図７】
2008184714.tif 000009
【図８】
2008184714.tif 000010
【図９】
2008184714.tif 000011